【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
遊技客が遊技によって獲得した遊技媒体を記憶媒体の識別情報に関連付けて貯遊技媒体として管理し、前記貯遊技媒体の使用処理要求に応じて前記貯遊技媒体からの遊技媒体の使用処理を行う遊技媒体管理システムであって、
前記貯遊技媒体の預入に対して制限条件を設定する制限条件設定手段と、
前記記憶媒体の識別情報を含む遊技媒体の預入要求を受け付けた場合に、前記預入要求に基づく処理を実行したならば前記制限条件設定手段により設定された制限条件にあてはまるかを判定する判定手段と、
前記判定手段により前記制限条件にあてはまらないのであれば、前記預入要求に示された前記記憶媒体の識別情報に関連付けられた貯遊技媒体に対して前記預入要求に示された遊技媒体の数に基づいた更新処理を行なう貯遊技媒体預入手段と、
前記記憶媒体の識別情報を受け付けた場合に、前記制限条件設定手段により設定された制限条件に基づいて、当該遊技客による貯遊技媒体への預入に係る制限条件についての情報を出力する制限情報出力手段と
を備えたことを特徴とする遊技媒体管理システム。
【請求項２】
前記制限条件設定手段により設定される制限条件には、預入できる前記貯遊技媒体の上限数、預入できる上限回数又は預入できる期間に関する閾値が含まれることを特徴とする請求項１に記載の遊技媒体管理システム。
【請求項３】
前記記憶媒体の識別情報を受け付けた場合に、当該遊技客の前記貯遊技媒体が、前記制限条件設定手段によって設定した閾値に到達若しくは超過しているかの判定を行う第二の判定手段をさらに備え、
前記第二の判定手段の判定に基づく出力を行う
ことを特徴とする請求項２に記載の遊技媒体管理システム。
【請求項４】
前記制限条件設定手段によって設定した閾値に到達する以前の警戒値に到達若しくは超過しているかの判定を行う警戒値判定手段をさらに備え、
前記警戒値判定手段の判定に基づく出力を行う
ことを特徴とする請求項２又は３に記載の遊技媒体管理システム。
【請求項５】
記憶媒体の識別情報に対応付けて複数の遊技種の遊技媒体を管理し、
前記判定手段は、遊技種ごとに制限条件にあてはまるかを判定するものである
ことを特徴とする請求項１〜４のいずれか一つに記載の遊技媒体管理システム。
【請求項６】
遊技店に会員登録された会員の識別情報に対応付けて、会員が遊技にて獲得した獲得遊技媒体を管理する遊技媒体管理システムであって、
前記獲得遊技媒体の利用に関して設定された所定の制限値の範囲内での獲得遊技媒体の利用を許容する利用許容手段と、
前記獲得遊技媒体の利用があった場合に前記獲得遊技媒体に関する情報を更新する情報更新手段と、
会員の識別情報を受け付けたことに基づいて、前記制限値に関する情報を出力する制限値情報出力手段と
を備えたことを特徴とする遊技媒体管理システム。
【請求項７】
会員の識別情報に対応付けて複数の遊技種ごとに獲得遊技媒体数を管理する獲得遊技媒体管理手段をさらに備え、
前記制限値は遊技種ごとに個別に設定されるものであって、
前記制限値情報出力手段は、前記遊技種を特定可能な情報と対応付けて前記遊技種に対応した制限値を出力するものである
ことを特徴とする請求項６に記載の遊技媒体管理システム。
【請求項８】
遊技客が遊技によって獲得した遊技媒体を記憶媒体の識別情報に関連付けて貯遊技媒体として管理し、前記遊技客の識別情報を含む前記貯遊技媒体の使用処理要求に応じて前記貯遊技媒体からの遊技媒体の使用処理を行う遊技媒体管理方法であって、
前記貯遊技媒体の預入に対して制限条件を設定する制限条件設定ステップと、
前記記憶媒体の識別情報を含む遊技媒体の預入要求を受け付けた場合に、前記預入要求に基づく処理を実行したならば前記制限条件設定ステップにより設定された制限条件にあてはまるかを判定する判定ステップと、
前記判定ステップにより前記制限条件にあてはまらないのであれば、前記預入要求に示された前記記憶媒体の識別情報に関連付けられた貯遊技媒体に対して前記預入要求に示された遊技媒体の数に基づいた更新処理を行なう貯遊技媒体預入ステップと、
前記記憶媒体の識別情報を受け付けた場合に、前記制限条件設定ステップにより設定された制限条件に基づいて、当該遊技客による貯遊技媒体への預入に係る制限条件についての情報を出力する制限情報出力ステップと
を含んだことを特徴とする遊技媒体管理方法。
【手続補正２】
【補正対象書類名】明細書
【補正対象項目名】発明の名称
【補正方法】変更
【補正の内容】
【発明の名称】遊技媒体管理システム及び遊技媒体管理方法
【手続補正３】
【補正対象書類名】明細書
【補正対象項目名】０００１
【補正方法】変更
【補正の内容】
【０００１】
この発明は、遊技店に預け入れられた遊技媒体の数を管理する遊技媒体管理システム及び遊技媒体管理方法に関する。
【手続補正４】
【補正対象書類名】明細書
【補正対象項目名】０００５
【補正方法】変更
【補正の内容】
【０００５】
ところで、遊技媒体を複数存在する遊技種ごとに管理している場合、遊技媒体の管理あるいは利用の制限についても遊技種ごとに管理する必要があり、制限は多様で複雑なものとなる可能性がある。
【手続補正５】
【補正対象書類名】明細書
【補正対象項目名】０００６
【補正方法】変更
【補正の内容】
【０００６】
このため、何らかの制限が行われたときに、どの制限に抵触したかが分かりにくいという問題がある。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明は、上述した従来技術の課題を解決するためのものであって、遊技媒体の管理あるいは利用の制限を適切に認識することのできる遊技媒体管理システム及び遊技媒体管理方法を提供することを目的とする。
【手続補正８】
【補正対象書類名】明細書
【補正対象項目名】０００９
【補正方法】変更
【補正の内容】
【０００９】
上述した課題を解決し、目的を達成するため、本発明は、遊技客が遊技によって獲得した遊技媒体を記憶媒体の識別情報に関連付けて貯遊技媒体として管理し、前記貯遊技媒体の使用処理要求に応じて前記貯遊技媒体からの遊技媒体の使用処理を行う遊技媒体管理システムであって、前記貯遊技媒体の預入に対して制限条件を設定する制限条件設定手段と、前記記憶媒体の識別情報を含む遊技媒体の預入要求を受け付けた場合に、前記預入要求に基づく処理を実行したならば前記制限条件設定手段により設定された制限条件にあてはまるかを判定する判定手段と、前記判定手段により前記制限条件にあてはまらないのであれば、前記預入要求に示された前記記憶媒体の識別情報に関連付けられた貯遊技媒体に対して前記預入要求に示された遊技媒体の数に基づいた更新処理を行なう貯遊技媒体預入手段と、前記記憶媒体の識別情報を受け付けた場合に、前記制限条件設定手段により設定された制限条件に基づいて、当該遊技客による貯遊技媒体への預入に係る制限条件についての情報を出力する制限情報出力手段とを備えたことを特徴とする。
【手続補正９】
【補正対象書類名】明細書
【補正対象項目名】００１０
【補正方法】変更
【補正の内容】
【００１０】
また、本発明は、上記発明において、前記制限条件設定手段により設定される制限条件には、預入できる前記貯遊技媒体の上限数、預入できる上限回数又は預入できる期間に関する閾値が含まれることを特徴とする。
【手続補正１０】
【補正対象書類名】明細書
【補正対象項目名】００１１
【補正方法】変更
【補正の内容】
【００１１】
また、本発明は、上記発明において、前記記憶媒体の識別情報を受け付けた場合に、当該遊技客の前記貯遊技媒体が、前記制限条件設定手段によって設定した閾値に到達若しくは超過しているかの判定を行う第二の判定手段をさらに備え、前記第二の判定手段の判定に基づく出力を行うことを特徴とする。
【手続補正１１】
【補正対象書類名】明細書
【補正対象項目名】００１２
【補正方法】変更
【補正の内容】
【００１２】
また、本発明は、上記発明において、前記制限条件設定手段によって設定した閾値に到達する以前の警戒値に到達若しくは超過しているかの判定を行う警戒値判定手段をさらに備え、前記警戒値判定手段の判定に基づく出力を行うことを特徴とする。
【手続補正１２】
【補正対象書類名】明細書
【補正対象項目名】００１３
【補正方法】変更
【補正の内容】
【００１３】
また、本発明は、上記発明において、記憶媒体の識別情報に対応付けて複数の遊技種の遊技媒体を管理し、前記判定手段は、遊技種ごとに制限条件にあてはまるかを判定するものであることを特徴とする。
また、本発明は、遊技店に会員登録された会員の識別情報に対応付けて、会員が遊技にて獲得した獲得遊技媒体を管理する遊技媒体管理システムであって、前記獲得遊技媒体の利用に関して設定された所定の制限値の範囲内での獲得遊技媒体の利用を許容する利用許容手段と、前記獲得遊技媒体の利用があった場合に前記獲得遊技媒体に関する情報を更新する情報更新手段と、会員の識別情報を受け付けたことに基づいて、前記制限値に関する情報を出力する制限値情報出力手段とを備えたことを特徴とする。
また、本発明は、上記発明において、会員の識別情報に対応付けて複数の遊技種ごとに獲得遊技媒体数を管理する獲得遊技媒体管理手段をさらに備え、前記制限値は遊技種ごとに個別に設定されるものであって、前記制限値情報出力手段は、前記遊技種を特定可能な情報と対応付けて前記遊技種に対応した制限値を出力するものであることを特徴とする。
【手続補正１３】
【補正対象書類名】明細書
【補正対象項目名】００１４
【補正方法】変更
【補正の内容】
【００１４】
また、本発明は、遊技客が遊技によって獲得した遊技媒体を記憶媒体の識別情報に関連付けて貯遊技媒体として管理し、前記遊技客の識別情報を含む前記貯遊技媒体の使用処理要求に応じて前記貯遊技媒体からの遊技媒体の使用処理を行う遊技媒体管理方法であって、前記貯遊技媒体の預入に対して制限条件を設定する制限条件設定ステップと、前記記憶媒体の識別情報を含む遊技媒体の預入要求を受け付けた場合に、前記預入要求に基づく処理を実行したならば前記制限条件設定ステップにより設定された制限条件にあてはまるかを判定する判定ステップと、前記判定ステップにより前記制限条件にあてはまらないのであれば、前記預入要求に示された前記記憶媒体の識別情報に関連付けられた貯遊技媒体に対して前記預入要求に示された遊技媒体の数に基づいた更新処理を行なう貯遊技媒体預入ステップと、前記記憶媒体の識別情報を受け付けた場合に、前記制限条件設定ステップにより設定された制限条件に基づいて、当該遊技客による貯遊技媒体への預入に係る制限条件についての情報を出力する制限情報出力ステップとを含んだことを特徴とする。
【手続補正１４】
【補正対象書類名】明細書
【補正対象項目名】００１５
【補正方法】変更
【補正の内容】
【００１５】
本発明によれば、貯遊技媒体の制限の内容と該制限に対する状況を効果的に報知することができる。
【手続補正１５】
【補正対象書類名】明細書
【補正対象項目名】００１７
【補正方法】変更
【補正の内容】
【００１７】
以下に、添付図面を参照して、本発明に係る遊技媒体管理システム及び遊技媒体管理方法の好適な実施例を詳細に説明する。
【手続補正１６】
【補正対象書類名】明細書
【補正対象項目名】０１７０
【補正方法】変更
【補正の内容】
【０１７０】
以上のように、本発明に係る遊技媒体管理システム及び遊技媒体管理方法は、貯遊技媒体の制限の内容と該制限に対する遊技客の貯遊技媒体の状況を効果的に報知することに適している。